(57)【要約】【課題】フラットケーブルがＶＣＲの高温部に接触することを抑制するとともに、外部より進入する光を光センサに到達するのを抑制することができる構造を有するＶＣＲ一体型光ディスク装置を提供する【解決手段】ＶＣＲユニット１と、光ディスクユニット２と、光ディスクユニット２に接続されたフラットケーブル２３とを有し上部に光ディスクユニット２が固定されたダストカバー２１を有しており、ダストカバー２１には、端縁部より突設されたガード部２１１、２１２が形成されており、フラットケーブル２３がガード部２１１、２１２とＤＶＤユニット２の間に配置されているＶＣＲ一体型光ディスク装置Ａ。【選択図】図２
2008262644.tif 000002
【特許請求の範囲】
【請求項１】
筐体内に配置されビデオカセットを記録媒体とするＶＣＲユニットと、
前記筐体内に前記ＶＣＲユニットとの間に間隙を設けて配置され光ディスクを記録媒体とする光ディスクユニットと、
前記光ディスクユニットに接続され、前記間隙内に直立して配置されたフラットケーブルと、
前記筐体の背面中央に近接して配置された冷却ファンとを有するＶＣＲ一体型光ディスク装置であって、
上部に前記光ディスクユニットが固定された直方体形状のダストカバーを有しており、
前記ダストカバーは前記間隙に面した端縁部より前記間隙内に向かって突設されたガード部を有しており、
前記ガード部は、前記ＶＣＲユニットの前記光ディスクユニットとの間隙に向かって突出した高温部と対向するように配置されており、
前記フラットケーブルが前記ガード部と前記光ディスクユニットの間に配置されていることを特徴とするＶＣＲ一体型光ディスク装置。
【請求項２】
前記ガード部は先端部より前記光ディスクユニットに向けて一体突設された係合部を有しており、
前記係合部は前記ガード部より直交して立設された支持部と、前記支持部の先端側より直交して形成された係合爪部とを有するものであり、
前記フラットケーブルの上端部が前記支持部及び前記係合爪部とで係合されて保持されていることを特徴とする請求項１に記載のＶＣＲ一体型光ディスク装置。
【請求項３】
前記高温部は、前記ビデオカセットの挿入／排出の駆動力を出力する駆動モータの回転軸であることを特徴とする請求項１又は請求項２に記載のＶＣＲ一体型光ディスク装置。
【請求項４】
前記間隙内に立設された基板が配置されており、
前記高温部は前記基板に実装されたビデオカセットの挿入／排出のタイミングを計るためのセンサの前記基板より突出した端子であることを特徴とする請求項１から請求項３のいずれかに記載のＶＣＲ一体型光ディスク装置。
【請求項５】
前記ダストカバーは前記ガード部と直交するとともに一体的に形成されている補強リブを備えていることを特徴とする請求項１から請求項４のいずれかに記載のＶＣＲ一体型光ディスク装置。
【請求項６】
前記光ディスクユニットはＤＶＤメディアを記録媒体とするものであり、記録／再生を行うことができるものであることを特徴とする請求項１から請求項５のいずれかに記載のＶＣＲ一体型光ディスク装置。
【請求項７】
データ記録手段として、ハードディスクユニットを備えていることを特徴とする請求項１から請求項６のいずれかに記載のＶＣＲ一体型光ディスク装置。
【発明の詳細な説明】
【技術分野】
【０００１】
本発明は、内部にＶＣＲを内蔵した光ディス装置に関するものである。
【背景技術】
【０００２】
記録面にレーザ光が照射されることで、映像及び音声等のデータの記録／再生を行うことができる光ディスクメディアがある。光ディスクメディアとしては、主に音声データの記録／再生を行うＣＤメディア、主に映像データの記録／再生を行うＤＶＤメディアとが用いられている。これらの、光ディスクメディアは、直径約１２センチの円板状に形成されているものであり、携帯性が高い、場所をとらない、劣化がほとんどない等の理由で急速に普及している。
【０００３】
一方、従来、映像データの記録媒体としてテープメディアであるビデオカセットが用いられてきた。古い映像データをビデオカセットに記録して所有しているユーザも依然として多く、ＶＣＲも利用されている。また、近年、ＤＶＤプレーヤ／レコーダの普及に伴って、ビデオカセットに記録されている古い映像データをＤＶＤメディアにダビングしたいという要望が増えてきている。
【０００４】
そこで、ＶＣＲが内蔵された光ディスク装置が開発されている。前記ＶＣＲ一体型の光ディスク装置の場合、ＶＣＲユニット、光ディスクユニット等多くの部品をケースに収納しているために、各物品同士が密集して取り付けられている。また、配線の取り回しが複雑になる場合ある。
【０００５】
図７は従来のＶＣＲ一体型光ディスク装置の一例であるＶＣＲ一体型ＤＶＤレコーダの平面図である。図７に示すように、ＶＣＲ一体型光ディスク装置Ｄは、筐体９０の内部に、ＶＣＲユニット９１と、ＤＶＤレコーダユニット９２と、ＨＤＤユニット９３とを内蔵している。筐体９０には背面側に突出した背面パネル９０１と、背面パネル９０１に取り付けられた冷却ファン９０２とが備えられている。
【０００６】
ＶＣＲユニット９１は、カセットメディアの挿入／排出の駆動力を出力するための駆動モータ９１１と、挿入／排出のスタート、エンドのタイミングを決定する光センサ９１２とを有している。
【０００７】
また、ＤＶＤレコーダユニット９２には、データを転送するためのフラットケーブル９２１が取り付けられている。このフラットケーブル９２１はＤＶＤレコーダユニット９２の上部に取り付けられた制御用基板９２０に接続されており、ＤＶＤレコーダユニット９２とＶＣＲユニット９１との間隙を縦断するように配置されている。
【０００８】
図７に示すように、駆動モータ９１１の回転軸９１０及び光センサ９１２基板より突出した端子９１３は、ＤＶＤレコーダユニット９２との間隙に突出して配置されている。ＶＣＲ一体型ＤＶＤレコーダＣは動作時間が長くなると、回転軸９１０や端子９１３が発熱する場合がある。また、ＶＣＲ一体型ＤＶＤレコーダＤには、駆動モータ９１１を含む複数個のモータや、冷却ファン９０２等の振動源となる部材が複数個取り付けられており、振動も発生している。
【０００９】
この複数個の振動源より伝播される振動によって信号用のフラットケーブル９２１は振動する。フラットケーブル９２１が振動し、回転軸９１０や端子９１３と接触すると、フラットケーブル９２１の被覆が剥離し、信号線がショートし、誤作動や故障の原因となる。また、冷却ファン９０２が取り付けられている部分は、より多くの空気を流通させるために大きな孔が形成されている。この孔から内部に光が侵入し、その光が光センサ９１２に検知されることで、ＶＣＲユニット９１が誤作動することもある。
【００１０】
そこで、フラットケーブル９２１が回転軸９１０や端子９１３と接触するのを抑制するとともに、冷却ファン９０２の取付孔から進入するが光センサ９１２に到達するのを抑制するために、ＶＣＲユニット９１とＤＶＤレコーダユニット２の間隙に仕切り板９４を立設させてフラットケーブル９２１がＶＣＲユニット９１側に移動するのを抑制するとともに、冷却ファン９０２の取付孔からの光を遮断している（特開平５−９４６８１号参照）。
【００１１】
一方ＤＶＤレコーダユニット９２には、ＤＶＤメディアにレーザ光を照射するための光ピックアップが備えられている。ＶＣＲ一体型ＤＶＤレコーダＣはＤＶＤレコーダ或いはＶＣＲ単体の装置に比べて、発熱する部材が多く、密集して取り付けられているので、多くの冷却空気が流入されるように設計されている。冷却空気量が多くなると、それだけ、外部の塵埃等の微小な異物の流入量も増える。ＤＶＤレコーダユニット９２に備えられている光ピックアップはこのような異物が流入することで、性能が著しく低下したり、故障の原因になったりする。そこで、ＤＶＤレコーダユニット９２の下面にダストカバーを取り付け、異物がＤＶＤレコーダユニット９２の内部に流入するのを抑制し、光ピックアップの異物による不具合の発生を抑えている。
【特許文献１】特開平５−９４６８１号参照
【発明の開示】
【発明が解決しようとする課題】
【００１２】
しかしながら、ダストカバーを取り付けた場合、仕切り板９４の取り付けのためのスペースが小さくなってしまい、仕切り板９４の取付が困難である。また、仕切り板９４を取り付けることができた場合であっても、部品点数が多くなる。部品点数が多くなることで、取り付けに手間と時間がかかるとともに、ＶＣＲ一体型ＤＶＤレコーダＣの部品同士の間隙が狭くなり、冷却性能が落ちる。
【００１３】
そこで本発明は、フラットケーブルがＶＣＲの高温部に接触することを抑制するとともに、外部より進入する光を光センサに到達するのを抑制することができる構造を有するＶＣＲ一体型光ディスク装置を提供することを目的とする。
【課題を解決するための手段】
【００１４】
上記目的を達成するため本発明は、筐体内に配置されビデオカセットを記録媒体とするＶＣＲユニットと、前記筐体内に前記ＶＣＲユニットとの間に間隙を設けて配置され光ディスクを記録媒体とする光ディスクユニットと、前記光ディスクユニットに接続され、前記間隙内に直立して配置されたフラットケーブルと、前記筐体の背面中央に近接して配置された冷却ファンとを有するＶＣＲ一体型光ディスク装置であって、上部に前記光ディスクユニットが固定された直方体形状のダストカバーを有しており、前記ダストカバーは前記間隙に面した端縁部より前記間隙内に向かって突設されたガード部を有しており、前記ガード部は、前記ＶＣＲユニットの前記光ディスクユニットとの間隙に向かって突出した高温部と対向するように配置されており、前記フラットケーブルが前記ガード部と前記光ディスクユニットの間に配置されていることを特徴とする。
【００１５】
この構成によると、前記フラットケーブルが前記高温部と接触によって、前記フラットケーブルの被覆が剥がれ、ショートすることで発生する動作不良や破損等の不具合の発生を抑制することができる。
【００１６】
また、部材を追加することなく前記フラットケーブルを抑えることができるので、十分な間隙を形成することができ、冷却用の空気の流通路を確保することができる。このことによって、電子機器を熱より守ることが可能である。
【００１７】
さらに、冷却ファンより入射された光がガード部及びガード部に保持されたフラットケーブルによって遮られるので、前記光がセンサに入射して誤作動を起こすのを抑制することが可能である。
【００１８】
上記構成において、前記ガード部は先端部より前記光ディスクユニットに向けて一体突設された係合部を有しており、前記係合部は前記ガード部より直交して立設された支持部と、前記支持部の先端側より直交して形成された係合爪部とを有するものであり、前記フラットケーブルの上端部が前記支持部及び前記係合爪部とで係合されて保持されているものであってもよい。この構成によると、より安定的に前記フラットケーブルを保持することが可能である。
【００１９】
前記高温部として、前記ビデオカセットの挿入／排出の駆動力を出力する駆動モータの回転軸や、前記間隙内に立設された基板に実装されたビデオカセットの挿入／排出のタイミングを計るためのセンサの前記基板より突出した端子を挙げることができる。
【００２０】
上記構成において、前記ダストカバーは前記ガード部と直交するとともに一体的に形成されている補強リブを備えているものであってもよい。この構成によると、冷却ファンの回転によって入射された光補強リブでも遮断されるので、より効果的に光を遮断することができる。
【００２１】
上記構成において、前記光ディスクユニットはＤＶＤメディアを記録媒体とするものであり、記録／再生を行うことができるものであってもよく、データ記録手段として、ハードディスクユニットを備えているものであってもよい。
【発明の効果】
【００２２】
本発明によると、フラットケーブルがＶＣＲの高温部に接触することを抑制するとともに、外部より進入する光を光センサに到達するのを抑制することができる構造を有するＶＣＲ一体型光ディスク装置を提供することができる。
【発明を実施するための最良の形態】
【００２３】
以下に本発明の実施形態を図面を参照して説明する。図１は本発明にかかるＶＣＲ一体型光ディスク装置の斜視図であり、図２は図１に示すＶＣＲ一体型光ディスク装置の平面配置図であり、図３は図１に示すＶＣＲ一体型光ディスク装置の断面図である。なお、光ディスク装置はそれには限定されないが、ここでは、ＤＶＤレコーダである。
【００２４】
図１、図２、図３に示すＶＣＲ一体型ＤＶＤレコーダＡは記録メディアにＤＶＤを採用するＤＶＤレコーダと記録メディアにビデオカセット（Ｖｃ）を採用するＶＣＲとのハイブリッド型の電子機器である。筐体１００の内部に、ＶＣＲユニット１と、ＤＶＤレコーダユニット２と、ＨＤＤユニット３とを内蔵している。筐体１００には背面側に突出した背面パネル１０１と、背面パネル１０１に取り付けられた冷却ファン１０２とが備えられている。
【００２５】
図２に示すように、ＶＣＲユニット１とＤＶＤユニット２とは、並んで配置されており、ＶＣＲユニット１１とＤＶＤユニット２との間には間隙１０３が形成されている。ＶＣＲユニット１は、ビデオカセットＶｃを搬送するときの駆動力を出力する駆動モータ１１と、ビデオカセットＶｃの排出、挿入のタイミングを切り替えるための搬送用センサ１２とを有している。
【００２６】
図２に示すように、駆動モータ１１はＶＣＲユニット１の背面側に取り付けられており、出力軸１１１が備えられている。出力軸１１１は間隙１０３側に突出している部分を有している。また、搬送用センサ１２は受光センサであり、間隙１０３に取り付けられている。搬送用センサ１２は、ＶＣＲユニット１に対して反対側に備えられた発光素子１３より出力された光を受光することで、ＶＣＲユニット１の内部にビデオカセットＶｃがあるかどうか等の情報を得ることができるセンサである。搬送用センサ１２はメイン基板１０４より間隙１０３内部に突設されたサブ基板１０５に実装されるものであり、端子１２１が間隙に向けてサブ基板１０５より突出している。
【００２７】
ＶＣＲユニット１、ＤＶＤレコーダユニット２、ハードディスクユニット３等は、駆動時に発熱する。発熱によって、ＶＣＲユニット１及びＤＶＤレコーダユニット２とは、誤作動したり、故障したりするので、背面パネル１０１に備えられた冷却ファン１０２を駆動し、ＶＣＲ一体型ＤＶＤレコーダＡの内部に冷却空気を導入し、ＶＣＲユニット１及びＤＶＤレコーダユニット２とを冷却する。冷却空気の流入量が多いほど、冷却能力が高くなる。
【００２８】
また、ＤＶＤレコーダユニット２は、ＤＶＤメディアＤｖにレーザ光を照射することで、ＤＶＤメディアＤｖの記録／再生を行うものである。ＤＶＤレコーダユニット２には、レーザ光を出力する不図示の光ピックアップを有している。光ピックアップには、レーザ光源、対物レンズ、コリメータレンズ、ホトダイオード等の光学部材が取り付けられている。光ピックアップのレーザ光源は発熱が多く、ＤＶＤレコーダユニット２がＶＣＲユニットに比べて冷却が必要である。また、ハードディスクユニット３も発熱量が多い。
【００２９】
冷却空気が間隙１０３を流通するとともに、より多くの冷却空気がＤＶＤレコーダユニット２に吹き付けられるように、冷却ファン１０２は背面パネル１０１の間隙１０３よりＤＶＤレコーダユニット２に寄った位置に取り付けられている。冷却ファン１０２は背面パネル１０１に形成されている貫通孔１０６に嵌合させ、固定することで固定されている。
【００３０】
ＤＶＤレコーダユニット２の光ピックアップは光学部材が取り付けられていることより、埃、塵等の微粒子の異物が付着すると、性能が低下したり、動作しなくなったりする。また、ＤＶＤレコーダユニット２は下部より光ピックアップが露出して形成されていることが多い。さらに、冷却空気をＶＣＲ一体型ＤＶＤレコーダＡ内部に導入することで、ＶＣＲ一体型ＤＶＤレコーダＡの内部に設置場所雰囲気中に含まれる埃、塵等の異物が流入する。
【００３１】
そこで、ＤＶＤレコーダユニット２の内部に埃、塵等の異物が混入するのを抑制するために、ダストカバー２１が備えられている。ダストカバー２１は下面が筐体に固定されており、上面はＤＶＤレコーダユニット２が固定されている。
【００３２】
ＤＶＤレコーダユニット２の上部にはＤＶＤレコーダユニット２を動作させるための基板２２が備えられており、基板２２にはフレキシブルケーブル２３が接続されている。フレキシブルフラットケーブル２３はメイン基板３と接続されている。フレキシブルフラットケーブル２３はメイン基板３とＤＶＤレコーダユニット２の間でデータを送受信するためのケーブルである。フレキシブルフラットケーブル２３は間隙１０３に直立した状態で配置されている。
【００３３】
ＶＣＲ一体型型ＤＶＤレコーダＡは、ＶＣＲユニット１又はＤＶＤレコーダユニット２が動作している間は、それぞれに駆動部（モータ等）が備えられており、振動が発生する。この振動によって、フレキシブルフラットケーブル２３が振動し縦横に移動する。ＶＣＲユニット１が駆動している場合、駆動モータ１１の出力軸１１１や搬送用センサ１２の端子１２１は高温になっている。この状態でフレキシブルフラットケーブル２３が接触するとフレキシブルフラットケーブル２３の被覆が剥離してしまう。
【００３４】
そこで、ダストカバー２１の側縁部より一体突設され、前記駆動モータ１１の出力軸１１１と対向するモータガード２１１と、搬送用センサ１２の端子１２１と対向する端子ガード２１２とを有している。図２、図３に示すように、フレキシブルフラットケーブル２３を端子ガード２１２を挟んで端子２１３の反対側及びモータガード２１１を挟んで駆動モータ１１の反対側に配置されている。このように配置されることで振動が発生しフレキシブルフラットケーブル２３が移動した場合でも、出力軸１１１や端子１２１と接触せず、フレキシブルフラットケーブル２３の被覆が剥離するのを抑制し、これに伴う不具合の発生を抑えることができる。
【００３５】
また、冷却ファン１０２を回転させると、ファンの隙間より外部の光がＶＣＲ一体型ＤＶＤレコーダＡの内部に光が流入する。この光は間隙１０３に照射されるが、モータガード２１１、端子ガード２１２及びフレキシブルフラットケーブル２３にて遮られて、搬送用センサ１２に到達することがなく、搬送用センサ１２の誤作動を抑制することが可能である。
【００３６】
図４は本発明にかかるＶＣＲ一体型ＤＶＤレコーダの他の例の平面配置図であり、図５は図４に示すＶＣＲ一体型ＤＶＤレコーダの断面図である。図４に示すＶＣＲ一体型ＤＶＤレコーダＢは、モータガード２１３及び端子ガード２１４の形状が異なる以外は、図２示すＶＣＲ一体型ＤＶＤレコーダＡと同じ構成を有しており、実質上同一の部分には、同じ符号が付してある。なお、図５に示す断面図はモータガード２１３を示しているが、端子ガード２１４も同様の構成を有している。
【００３７】
図４に示すように、モータガード２１３の先端部には、駆動モータ１１と反対側に突設されたかぎ状の保持リブ２１３１が形成されている。保持リブ２１３１にフレキシブルフラットケーブル２３の上部が係合されている。このように、フレキシブルフラットケーブル２３がかぎ状の保持リブ２１３１と係合していることで、フレキシブルフラットケーブル２３がモータガード２１３を乗り越えることがなく、フレキシブルフラットケーブル２３が破損して発生する不具合を抑制することが可能である。端子ガード２１４にも保持リブ２１４１が形成されており、フレキシブルフラットケーブル２３が保持されている。
【００３８】
なお、上記実施例では、モータガード２１３及び端子ガード２１４の両方に保持リブ２１３１及び２１４１が形成されているものを例に説明しているが、いずれか一方に形成されているものであってもよい。
【００３９】
図６は本発明にかかるＶＣＲ一体型ＤＶＤレコーダのさらに他の例の平面配置図である。図６に示すように、ＶＣＲ一体型ＤＶＤレコーダＣのモータガード２１５には、モータガード２１５に直交するように一体形成された補強リブ２１５１が形成されている。補強リブ２１５１が形成されていることで、モータガード２１５の変形を抑制することができるとともに、補強リブ２１５１が間隙１０３に直交するように形成されているので、冷却ファン１０２より入射された光が搬送用センサ１２に到達するのを効果的に抑えることができる。
【００４０】
上記各実施例において、光ディスク装置としてＤＶＤレコーダを例にとって説明しているが、それに限定されるものではなく、ＤＶＤプレーヤ、ＢＤプレーヤ、ＢＤレコーダ等光ディスクを記録媒体として用いるものを広く採用することが可能である。
【００４１】
以上、発明の実施形態を具体的に説明したが、本発明は上記実施形態に限定するものではなく、その要旨を逸脱しない範囲で種々変更可能である。
【産業上の利用可能性】
【００４２】
本発明は、ＶＣＲユニットを内蔵した光ディスク装置に適応することが可能である。
【図面の簡単な説明】
【００４３】
【図１】本発明にかかるＶＣＲ一体型光ディスク装置の斜視図である。
【図２】図１に示すＶＣＲ一体型光ディスク装置の平面配置図である。
【図３】図１に示すＶＣＲ一体型光ディスク装置の断面図である。
【図４】本発明にかかるＶＣＲ一体型ＤＶＤレコーダの他の例の平面配置図である。
【図５】図４に示すＶＣＲ一体型ＤＶＤレコーダの断面図である。
【図６】本発明にかかるＶＣＲ一体型ＤＶＤレコーダのさらに他の例の平面配置図である。
【図７】従来のＶＣＲ一体型光ディスク装置の一例であるＶＣＲ一体型ＤＶＤレコーダの平面図である。
【符号の説明】
【００４４】
１  ＶＣＲユニット
１１  駆動モータ
１１１  出力軸
１２  搬送用センサ
１２１  端子
２  ＤＶＤレコーダユニット
２１  ダストカバー
２１１  モータガード
２１２  端子ガード
２２  基板
２３  フレキシブルフラットケーブル
３  ＨＤＤユニット
【図１】
2008262644.tif 000003
【図２】
2008262644.tif 000004
【図３】
2008262644.tif 000005
【図４】
2008262644.tif 000006
【図５】
2008262644.tif 000007
【図６】
2008262644.tif 000008
【図７】
2008262644.tif 000009